【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
非晶質化合物；
結晶性化合物；および
有機顔料を含む相変化インクであって；
前記相変化インクは、有機顔料を含まない同じ組成物よりも液体状態から迅速に結晶化し、前記有機顔料が１０〜４００ｎｍの平均粒子サイズを有し、前記非晶質化合物が、式Ｉの第１の酒石酸エステルを含み、前記結晶性化合物が、式ＩＩＩの第２の酒石酸エステルを含む、相変化インク。
【化１】
2013227566.tif 000001
（式Ｉ中、Ｒ１およびＲ２の１つが、２−イソプロピル−５−メチルシクロヘキシルであり、Ｒ１およびＲ２の他の１つは、２−イソプロピル−５−メチルシクロヘキシル、４−ｔ−ブチルシクロヘキシル、若しくはシクロヘキシルであるか、又はＲ１およびＲ２の１つは、４−ｔ−ブチルシクロヘキシルであり、Ｒ１およびＲ２の他の１つはシクロヘキシルである。）
【化２】
2013227566.tif 000002
（式ＩＩＩ中、Ｒ６およびＲ７のそれぞれは、独立に、低級アルキルまたは低級アルコキシで置換されてもよいアリールまたはヘテロアリールであり、各ｎは独立に０〜３である。）
【請求項２】
前記相変化インクが、２０秒未満で結晶化する、請求項１に記載の相変化インク。
【請求項３】
Ｒ６およびＲ７のそれぞれは、独立に、
【化３】
2013227566.tif 000003
およびこれらの混合物からなる群から選択される、請求項１又は請求項２に記載の相変化インク。
【請求項４】
前記結晶性化合物／前記非晶質化合物の比が、６０：４０〜９５：５である、請求項１〜請求項３のいずれか１項に記載の相変化インク。
【請求項５】
前記有機顔料が、Ｃａｒｂｏｎ  Ｂｌａｃｋ、Ｐｉｇｍｅｎｔ  Ｂｌｕｅ１５、Ｐｉｇ
ｍｅｎｔ  Ｂｌｕｅ１５：１、Ｐｉｇｍｅｎｔ  Ｂｌｕｅ１５：２、Ｐｉｇｍｅｎｔ  Ｂ
ｌｕｅ１５：３、Ｐｉｇｍｅｎｔ  Ｂｌｕｅ１５：４、Ｐｉｇｍｅｎｔ  Ｂｌｕｅ１５：
６、Ｐｉｇｍｅｎｔ  Ｂｌｕｅ１、Ｐｉｇｍｅｎｔ  Ｂｌｕｅ１０、Ｐｉｇｍｅｎｔ  Ｂ
ｌｕｅ１４、Ｐｉｇｍｅｎｔ  Ｂｌｕｅ６０、Ｐｉｇｍｅｎｔ  Ｂｌｕｅ６１、Ｐｉｇｍ
ｅｎｔ  Ｙｅｌｌｏｗ１、Ｐｉｇｍｅｎｔ  Ｙｅｌｌｏｗ３、Ｐｉｇｍｅｎｔ  Ｙｅｌｌ
ｏｗ１２、Ｐｉｇｍｅｎｔ  Ｙｅｌｌｏｗ１３、Ｐｉｇｍｅｎｔ  Ｙｅｌｌｏｗ１４、Ｐ
ｉｇｍｅｎｔ  Ｙｅｌｌｏｗ１７、Ｐｉｇｍｅｎｔ  Ｙｅｌｌｏｗ２４、Ｐｉｇｍｅｎｔ
Ｙｅｌｌｏｗ５５、Ｐｉｇｍｅｎｔ  Ｙｅｌｌｏｗ６２、Ｐｉｇｍｅｎｔ  Ｙｅｌｌｏ
ｗ６３、Ｐｉｇｍｅｎｔ  Ｙｅｌｌｏｗ６５、Ｐｉｇｍｅｎｔ  Ｙｅｌｌｏｗ７３、Ｐｉ
ｇｍｅｎｔ  Ｙｅｌｌｏｗ７４、Ｐｉｇｍｅｎｔ  Ｙｅｌｌｏｗ８１、Ｐｉｇｍｅｎｔ  
Ｙｅｌｌｏｗ８３、Ｐｉｇｍｅｎｔ  Ｙｅｌｌｏｗ９３、Ｐｉｇｍｅｎｔ  Ｙｅｌｌｏｗ
９５、Ｐｉｇｍｅｎｔ  Ｙｅｌｌｏｗ９７、Ｐｉｇｍｅｎｔ  Ｙｅｌｌｏｗ１１０、Ｐｉ
ｇｍｅｎｔ  Ｙｅｌｌｏｗ１１１、Ｐｉｇｍｅｎｔ  Ｙｅｌｌｏｗ１２３、Ｐｉｇｍｅｎ
ｔ  Ｙｅｌｌｏｗ１２６、Ｐｉｇｍｅｎｔ  Ｙｅｌｌｏｗ１２７、Ｐｉｇｍｅｎｔ  Ｙｅ
ｌｌｏｗ１３９、Ｐｉｇｍｅｎｔ  Ｙｅｌｌｏｗ１４７、Ｐｉｇｍｅｎｔ  Ｙｅｌｌｏｗ
１５０、Ｐｉｇｍｅｎｔ  Ｙｅｌｌｏｗ１５１、Ｐｉｇｍｅｎｔ  Ｙｅｌｌｏｗ１５４、
Ｐｉｇｍｅｎｔ  Ｙｅｌｌｏｗ１５５、Ｐｉｇｍｅｎｔ  Ｙｅｌｌｏｗ１６８、Ｐｉｇｍ
ｅｎｔ  Ｙｅｌｌｏｗ１７０、Ｐｉｇｍｅｎｔ  Ｙｅｌｌｏｗ１７４、Ｐｉｇｍｅｎｔ  
Ｙｅｌｌｏｗ１７５、Ｐｉｇｍｅｎｔ  Ｙｅｌｌｏｗ１７６、Ｐｉｇｍｅｎｔ  Ｙｅｌｌ
ｏｗ１７９、Ｐｉｇｍｅｎｔ  Ｙｅｌｌｏｗ１８０、Ｐｉｇｍｅｎｔ  Ｙｅｌｌｏｗ１８
３、Ｐｉｇｍｅｎｔ  Ｙｅｌｌｏｗ１８５、Ｐｉｇｍｅｎｔ  Ｙｅｌｌｏｗ１８８、Ｐｉ
ｇｍｅｎｔ  Ｙｅｌｌｏｗ１９１、Ｐｉｇｍｅｎｔ  Ｙｅｌｌｏｗ１９４、Ｐｉｇｍｅｎ
ｔ  Ｙｅｌｌｏｗ２１４、Ｐｉｇｍｅｎｔ  Ｒｅｄ２、Ｐｉｇｍｅｎｔ  Ｒｅｄ３、Ｐｉ
ｇｍｅｎｔ  Ｒｅｄ４、Ｐｉｇｍｅｎｔ  Ｒｅｄ５、Ｐｉｇｍｅｎｔ  Ｒｅｄ８、Ｐｉｇ
ｍｅｎｔ  Ｒｅｄ９、Ｐｉｇｍｅｎｔ  Ｒｅｄ１２、Ｐｉｇｍｅｎｔ  Ｒｅｄ１３、Ｐｉ
ｇｍｅｎｔ  Ｒｅｄ２１、Ｐｉｇｍｅｎｔ  Ｒｅｄ２２、Ｐｉｇｍｅｎｔ  Ｒｅｄ２３、
Ｐｉｇｍｅｎｔ  Ｒｅｄ３１、Ｐｉｇｍｅｎｔ  Ｒｅｄ３２、Ｐｉｇｍｅｎｔ  Ｒｅｄ４
８：１、Ｐｉｇｍｅｎｔ  Ｒｅｄ４８：２、Ｐｉｇｍｅｎｔ  Ｒｅｄ４８：３、Ｐｉｇｍ
ｅｎｔ  Ｒｅｄ４８：４、Ｐｉｇｍｅｎｔ  Ｒｅｄ４９：１、Ｐｉｇｍｅｎｔ  Ｒｅｄ４
９：２、Ｐｉｇｍｅｎｔ  Ｒｅｄ５２：１、Ｐｉｇｍｅｎｔ  Ｒｅｄ５２：２、Ｐｉｇｍ
ｅｎｔ  Ｒｅｄ５３：１、Ｐｉｇｍｅｎｔ  Ｒｅｄ５３：３、Ｐｉｇｍｅｎｔ  Ｒｅｄ５
７：１、Ｐｉｇｍｅｎｔ  Ｒｅｄ６３：１、Ｐｉｇｍｅｎｔ  Ｒｅｄ８１、Ｐｉｇｍｅｎ
ｔ  Ｒｅｄ１１２、Ｐｉｇｍｅｎｔ  Ｒｅｄ１２２、Ｐｉｇｍｅｎｔ  Ｒｅｄ１２３、Ｐ
ｉｇｍｅｎｔ  Ｒｅｄ１４４、Ｐｉｇｍｅｎｔ  Ｒｅｄ１４６、Ｐｉｇｍｅｎｔ  Ｒｅｄ
１４９、Ｐｉｇｍｅｎｔ  Ｒｅｄ１６６、Ｐｉｇｍｅｎｔ  Ｒｅｄ１６９、Ｐｉｇｍｅｎ
ｔ  Ｒｅｄ１７０、Ｐｉｇｍｅｎｔ  Ｒｅｄ１７１、Ｐｉｇｍｅｎｔ  Ｒｅｄ１７５、Ｐ
ｉｇｍｅｎｔ  Ｒｅｄ１７６、Ｐｉｇｍｅｎｔ  Ｒｅｄ１７７、Ｐｉｇｍｅｎｔ  Ｒｅｄ
１７８、Ｐｉｇｍｅｎｔ  Ｒｅｄ１７９、Ｐｉｇｍｅｎｔ  Ｒｅｄ１８４、Ｐｉｇｍｅｎ
ｔ  Ｒｅｄ１８５、Ｐｉｇｍｅｎｔ  Ｒｅｄ１８８、Ｐｉｇｍｅｎｔ  Ｒｅｄ１８９、Ｐ
ｉｇｍｅｎｔ  Ｒｅｄ２０２、Ｐｉｇｍｅｎｔ  Ｒｅｄ２０８、Ｐｉｇｍｅｎｔ  Ｒｅｄ
２１０、Ｐｉｇｍｅｎｔ  Ｒｅｄ２２４．Ｐｉｇｍｅｎｔ  Ｒｅｄ２４２、Ｐｉｇｍｅｎ
ｔ  Ｒｅｄ２４５、Ｐｉｇｍｅｎｔ  Ｒｅｄ２５４、Ｐｉｇｍｅｎｔ  Ｒｅｄ２６６、Ｐ
ｉｇｍｅｎｔ  Ｒｅｄ２６８、Ｐｉｇｍｅｎｔ  Ｒｅｄ２６９、Ｐｉｇｍｅｎｔ  Ｏｒａ
ｎｇｅ５、Ｐｉｇｍｅｎｔ  Ｏｒａｎｇｅ１３、Ｐｉｇｍｅｎｔ  Ｏｒａｎｇｅ１６、Ｐ
ｉｇｍｅｎｔ  Ｏｒａｎｇｅ３４、Ｐｉｇｍｅｎｔ  Ｏｒａｎｇｅ３６、Ｐｉｇｍｅｎｔ
Ｏｒａｎｇｅ６３、Ｐｉｇｍｅｎｔ  Ｖｉｏｌｅｔ１、Ｐｉｇｍｅｎｔ  Ｖｉｏｌｅｔ
２、Ｐｉｇｍｅｎｔ  Ｖｉｏｌｅｔ３、Ｐｉｇｍｅｎｔ  Ｖｉｏｌｅｔ１９、Ｐｉｇｍｅ
ｎｔ  Ｖｉｏｌｅｔ２３、Ｐｉｇｍｅｎｔ  Ｖｉｏｌｅｔ２７、Ｐｉｇｍｅｎｔ  Ｇｒｅ
ｅｎ７、Ｐｉｇｍｅｎｔ  Ｇｒｅｅｎ３６およびこれらの混合物である、請求項１〜請求項４のいずれか１項に記載の相変化インク。
【請求項６】
前記有機顔料が、前記相変化インクの全体に基づいて０．１重量％〜５０重量％の量で存在する、請求項１〜請求項５のいずれか１項に記載の相変化インク。
【請求項７】
１００〜１４０℃の温度において、５〜２２ｃｐｓの粘度を有する、請求項１〜請求項６のいずれか１項に記載の相変化インク。
【請求項８】
前記結晶性化合物が、ジベンジルＬ−タートラート、ジフェネチルＬ−タートラート、ビス（３−フェニル−１−プロピル）Ｌ−タートラート、ビス（２−フェノキシエチル）Ｌ−タートラート、ジフェニルＬ−タートラート、ビス（４−メチルフェニル）Ｌ−タートラート、ビス（４−メトキシフェニル）Ｌ−タートラート、ビス（４−メチルベンジル）Ｌ−タートラート、ビス（４−メトキシベンジル）Ｌ−タートラートおよびこれらのいずれかの立体異性体および混合物からなる群から選択される、請求項１〜請求項７のいずれか１項に記載の相変化インク。
【請求項９】
前記非晶質化合物が、ビス（２−イソプロピル−５−メチルシクロヘキシル）Ｌ−タートラート、（４−ｔ−ブチルシクロヘキシル）（シクロヘキシル）Ｌ−タートラート、およびこれらのいずれかの立体異性体および混合物からなる群から選択される、請求項１〜請求項８のいずれか１項に記載の相変化インク。
【請求項１０】
ジベンジルＬ−タートラート、ジフェネチルＬ−タートラート、ビス（３−フェニル−１−プロピル）Ｌ−タートラート、ビス（２−フェノキシエチル）Ｌ−タートラート、ジフェニルＬ−タートラート、ビス（４−メチルフェニル）Ｌ−タートラート、ビス（４−メトキシフェニル）Ｌ−タートラート、ビス（４−メチルベンジル）Ｌ−タートラート、ビス（４−メトキシベンジル）Ｌ−タートラート、ジシクロヘキシルＬ−タートラート、ビス（４−ｔｅｒｔ−ブチルシクロヘキシル）Ｌ−タートラートおよびこれらのいずれかの立体異性体および混合物からなる群から選択される結晶性化合物；
ビス（２−イソプロピル−５−メチルシクロヘキシル）Ｌ−タートラート、およびこれらのいずれかの立体異性体および混合物からなる群から選択される非晶質化合物；および有機顔料を含む相変化インクであって：
前記相変化インクが、有機顔料を含まない同じ組成物よりも液体状態から迅速に
結晶化し、前記有機顔料が１０〜４００ｎｍの平均粒子サイズを有する、相変化インク。